(57)【要約】      （修正有）【課題】マウス等のコンピュータ補助入力具の操作性を高め、ひいては長時間の操作を行う場合でも手首から首筋に至るまでの部位の疲労を軽減することのできる腕（手首）支持ホルダを提供する。【解決手段】非使用時には、開放状態を維持し手首を載置すると、手首を周方向両側から包み込むように撓むホルダ部５と、ホルダ部５を支持するスタンド部３a，３ｂと、スタンド部を揺動可能に枢支するベース部１から構成されており、さらにホルダ部５の底部には低反発ウレタン樹脂などのパッド７が設けられている。【選択図】図１
0003134461.tif 000002
【実用新案登録請求の範囲】
【請求項１】
ベース部と一対のスタンド部と可撓性材で形成されたホルダ部とからなり、一対のスタンド部はベース部の両端側に両スタンド部の対向方向側に向けて往復揺動可能に下端側が枢支されており、ホルダ部には上側に円弧状の凹面が形成されており、かつ該ホルダ部の両端またはその近傍が夫々前記スタンド部の上端側に枢支されており、ホルダ部はその上側からベース側方向に押圧されるとスタンド部枢支側が相互に近接する方向に撓み凹部の深さ寸法が大きくなり、前記押圧力が解除されると元の位置に復帰するように構成されていることを特徴とするコンピュータ補助入力具操作用腕支持ホルダ。
【請求項２】
上記ホルダ部の底部には、パッドが設けられていることを特徴とする請求項１に記載のコンピュータ補助入力具操作用腕支持ホルダ。
【請求項３】
上記パッドが、ウレタン樹脂で形成されていることを特徴とする請求項２に記載のコンピュータ補助入力具操作用腕支持ホルダ。
【考案の詳細な説明】
【技術分野】
【０００１】
本考案は、コンピュータ補助入力具操作用腕支持ホルダに関するものであり、更に詳しくは、コンピュータの補助入力具であるマウスやトラックボール或いは、ペンタブレット等の操作を長時間行う際に、腕や肩などの疲れを生じさせずに当該補助入力具の操作を安定的に行わせることのできる腕支持ホルダに関するものである。
【背景技術】
【０００２】
従来、マウス等のコンピュータ補助入力具を操作する際に、手首を机上面から若干上方に位置させて補助入力具の操作性を向上させるための腕支持ホルダが数多く存在する。例えば、レストバーと呼ばれるような板蒲鉾状の棒状体のものや特開２００６−２２１５３１、実用新案登録第３０９７０３５号等に示されたものがある。
【考案の開示】
【考案が解決しようとする課題】
【０００３】
しかしながら、上記した従来の腕支持ホルダにおいては、単に手首をホルダ上に載せておくだけであるためマウス等の補助入力具の操作性の安定感が乏しく操作がしづらいといった解決すべき欠点があった。また、このため長時間の操作を行う場合には、手首から上腕部、さらには肩まで疲れが及び、コンピュータ操作者の大きな負担となっていた。
【課題を解決するための手段】
【０００４】
本考案は、斯かる従来技術の欠点に鑑みて提案されたもので、マウスなどのコンピュータ補助入力具の操作性を高め、ひいては長時間の操作を行う場合でも、手首から首筋に至るまでの部位の疲労を軽減することのできる腕（手首）支持ホルダを提供するものである。
【０００５】
この手段として、本考案のコンピュータ補助入力具操作用腕支持ホルダは、ベース部と一対のスタンド部と可撓性材で形成されたホルダ部とからなり、一対のスタンド部は、ベース部の両端側に両スタンド部の対向方向側に向けて往復揺動可能に下端側が枢支されており、ホルダ部には上側に円弧状の凹面が形成されており、かつ該ホルダ部の両端またはその近傍が、夫々前記スタンド部の上端側に枢支されており、ホルダ部はその上側からベース側方向に押圧すると、スタンド部枢支側が相互に近接する方向に撓み凹部の深さ寸法が大きくなり、前記押圧力が解除されると元の位置に復帰するように構成されたことを特徴とする。
【０００６】
上記ホルダ部の凹面である底部には、パッドが設けられていることを特徴とする。
【０００７】
上記パッドが、ウレタン樹脂で形成されていることを特徴とする。
【考案の効果】
【０００８】
手首をホルダ部の底面に載置したときに、その重力により両側からホルダが包み込む方向に回動して手首を周方向に全体的に包み込む。これにより手首が安定的に保持（支受）させることが可能となり、マウス等の操作性が極めて向上する。
【０００９】
また、ホルダ部の底面にパッドを設けておくと、長時間手首を載置しておいても痛くなく、手首から首筋に至るまでの部位の疲労感を軽減或いは防止することができる。
【００１０】
さらに、スタンドが押し下げられると、手首から肘に至る部分がマウスなどを載置している机上面と略平行を保つことができ、腕全体の疲労を軽減することができる。
【実施例】
【００１１】
以下、本考案を添付した図面に従って詳説する。
図１は、本考案のコンピュータ補助入力具操作用腕支持ホルダの第１の実施例を示す正面図、図２は側面図である。図３は第２の実施例における非使用状態時の正面図、図４は使用状態時の正面図である。
【００１２】
図１に示すように、第１の実施例におけるコンピュータ補助入力具操作用腕支持ホルダは、コンピュータの補助入力装置を載置する机上Ｄに載せられるベース部１と、一対のスタンド部３a，３ｂと可撓性材で形成されたホルダ部５とを有する。この実施例においては、ベース部１は中央部が机上面から若干浮いたような平板状をしている。
【００１３】
ベース部１の両端側（図において左右方向の端部）には、夫々スタンド部３a，３ｂの下端が取付けられている。このスタンド部３a，３ｂは、夫々対面方向側に向けて往復揺動可能に下端側がベース部に１枢支されている。
【００１４】
ホルダ部５は、可撓性材料で上側に円弧状の凹面が形成された板状をしており、スタンド部３a，３ｂ間に架け渡せられるような状態で取付けられている。ホルダ部５は、スタンド部３a，３ｂの上端に枢支されている。これによりホルダ部５が上下方向に撓んだり復帰位置に戻ると、その動きに応じてスタンド部３a，３ｂの上端が、下端を支点にして対面方向、即ち、図において左右方向に揺動可能になる。ホルダ部５を構成する材料としては、可撓性材料であれば特に限定されるものではないが、例えば、軟質樹脂、塩化ビニール、シリコンゴム（好ましくは硬度５０〜７０度）等がその例である。
【００１５】
第１の実施例におけるコンピュータ補助入力具操作用腕支持ホルダは、非使用時にはスタンド部３a，３ｂ及びホルダ部５が、実線で示す位置にある。そして、ホルダ部５に手首Ａを載せると、腕の重量により矢印方向に押圧力が加わる。そうすると、ホルダ部５はその凹面の径が小さくなるように、即ち、上端部が相対的に近接する方向に撓み（凹部の深さが大きくなり）、これによりスタンド部３a，３ｂ及びホルダ部５は、１点鎖線で示す状態となる。そして、ホルダ部から手首を外すと、前記押圧力が解除され、これによりホルダ部５は、図１において実線で示す元の位置に復帰する。
【００１６】
ホルダ部５の長手方向（手首前後方向）の寸法は、特に限定されるものではないが、手首を安定的に載置できる寸法であることが必要である。例えば、５０ｍｍ〜７０ｍｍ位が良い。
【００１７】
ホルダ部５には、手首を載置する部分に手首を載せた際手首が痛くならないようにするためのパッド７が取付けられている。このパッド７は、例えば、低反発ウレタン樹脂などを用いることが望ましいが、長時間載置しても手首が痛くならないような材料であれば、特に限定されるものでない。
【００１８】
パッド７及びホルダ部５は、面状となっているが、手首を載せた際に汗ばむことを防止するため、これらの少なくとも手首載置部分にベンチレーション・ホールズを形成しておいて通風を良くして快適感をもたせても良い。
【００１９】
手首をホルダ部５の底部に載せたときには、矢印方向に重力が掛かりホルダ部５は、中央が沈み点鎖線で示すようにホルダ部が手首を包み込む。これにより、手首がマウスなどの入力補助具を置いている机上に近づいて、即ち、手首が机上面と平行な姿勢を確保でき、マウス等の補助入力具の操作性の向上を得ることができる。
【００２０】
次に、本考案の第２の実施例について説明する。図３は第２の実施例を示す正面図、図４はその使用状態時における正面図である。
【００２１】
図３に示すように第２の実施例のものは、ベース部１０の中央に円弧状の凹部１０aが形成された波型形状をしている。そしてこのベース部１０の両端側に一対のスタンド部３０a，３０ｂが、相互に対向側に向けて往復揺動可能に枢支されている。
【００２２】
スタンド部３０a，３０ｂの上端側には、第１の実施例のものと同様に、可撓性材で形成されたホルダ部５０が取り付けられている。このホルダ部５０は、第１の実施例と同様に可撓性材料で、上側に手首を載置するための円弧状の凹面が形成された板状をしており、スタンド部３０a，３０ｂ間に架け渡せられるような状態で取付けられている。ホルダ部５０は、スタンド部３０a，３０ｂの上端に枢支されおり、これによりホルダ部５０が上下方向に撓んだり復帰位置に戻ると、その動きに応じてスタンド部３０a，３０ｂの上端がベース部側を支点にして対向方向、即ち、図において左右方向に揺動可能になる。ホルダ部５０を構成する材料としては、可撓性材料であれば特に限定されるものではないが、例えば、軟質樹脂、塩化ビニール、シリコンゴム（好ましくは硬度５０〜７０度）等がその例として提示できる。
【００２３】
ホルダ部５０にはやはり同様に、手首を載置する部分は、手首を載せた際に手首が痛くならないようにするためのパッド７０が取付けられている。このパッド７０も例えば、低反発ウレタン樹脂等を用いることが望ましいが、第１の実施例と同様に長時間載置しても手首が痛くならないような材料であれば、特に限定されるものではない。
【００２４】
また、この第２の実施例においてもパッド７０及びホルダ部５０を面状としているが、手首を載せた際に汗ばむことを防止するため、これらの少なくとも手首載置部分に、ベンチレーション・ホールズを形成しておいて通風を良くして快適感をもたせても良いことは、第１の実施例と同様である。
【００２５】
図３に示す状態で、手首をホルダ部５０の底部に載せたときには、矢印方向に重力が掛かりホルダ部５０は、中央が沈み図４に示すようにホルダ部５０が手首を包み込む。このとき、ホルダ部５０は腕の重さで押し下げられる中央部の底面部が、ベース部１０の凹部１０aに突き当たり最終位置を維持する。これにより、手首がマウスなどの入力補助具を置いている机上に近づいて、即ち、手首が机上面と平行な姿勢を確保でき、マウス等の補助入力具の操作性の向上を容易に得ることができる。
【産業上の利用可能性】
【００２６】
上記した本考案によれば、ホルダが手首を周方向に全体的に包み込む。これにより手首が安定的に保持（支受）され、マウス等の操作性が特段に向上する。
【００２７】
また、ホルダ部の底面にパッドが設けられていると、長時間手首を載置しておいても痛くなく、手首から首筋に至るまでの部位の疲労感を軽減或いは防止することができる。
【００２８】
さらに、スタンドが押し下げられると、手首から肘に至る部分がマウスなどを載置している机上面と略平行を保つことができ、腕全体の疲労を軽減或いは防止できるので、その効用極めて大なるものと認められる。
【図面の簡単な説明】
【００２９】
【図１】第１の実施例の使用状態の位置を示す正面図である。
【図２】第１の実施例を示す側面図である。
【図３】第２の実施例の正面図である。
【図４】第２の実施例の使用時における状態を示した正面図である。
【符号の説明】
【００３０】
１，１０  ベース部
５，５０  ホルダ部
７，７０  パッド
【図１】
0003134461.tif 000003
【図２】
0003134461.tif 000004
【図３】
0003134461.tif 000005
【図４】
0003134461.tif 000006